(57)【要約】【課題】栽培用のスコップなどが不要で、かつ初心者でも手を汚さずに簡単に種播きが可能な種子付軸および種子付軸入り容器を提供する。【解決手段】種子付軸入り容器１０は、種子付軸１１の本体である軸１５の先部に、掛止部１６を介して種子１４を取り付けたので、土に種子付軸１１の先部を差し込むだけで、種子１４を土に埋めることができる。これにより、初心者でもスコップなどを使うことなく、手を汚さずに簡単に種播きをすることができる。【選択図】図１
2006006170.tif 000002
【特許請求の範囲】
【請求項１】
種子と、該種子が先部に取り付けられる軸とを備えたマッチ棒状の種子付軸。
【請求項２】
複数本の請求項１の種子付軸が、切り取り可能に櫛歯状に配列された連軸と、開閉自在な表紙を有し、該表紙の一端側に元部を固定した状態で連軸を収納するブック型シートとを備えた種子付軸入り容器。
【請求項３】
前記ブック型シートの表紙およびまたは裏表紙を、広告の掲載面およびまたは種子付軸の使用説明の記載面とした請求項２に記載の種子付軸入り容器。
【請求項４】
前記軸は、再生紙を含む紙または生分解性プラスチックからなる請求項１に記載の種子付軸または請求項２または請求項３に記載の種子付軸入り容器。
【請求項５】
前記軸には、肥料が含まれている請求項１に記載の種子付軸または請求項２〜請求項４のうち、何れか１項に記載の種子付軸入り容器。
【請求項６】
前記軸の先部には、大粒の種子の掛止部が設けられた請求項１に記載の種子付軸または請求項２〜請求項５のうち、何れか１項に記載の種子付軸入り容器。
【請求項７】
前記軸の先部には、小粒の種子が接着された請求項１に記載の種子付軸または請求項２〜請求項６のうち、何れか１項に記載の種子付軸入り容器。
【請求項８】
前記軸には、前記種子の種類に応じた土中への埋め込み深さを示す埋め込みラインが印された請求項１に記載の種子付軸または請求項２〜請求項７のうち、何れか１項に記載の種子付軸入り容器。
【発明の詳細な説明】
【技術分野】
【０００１】
この発明は、植物の種子がマッチ棒状の軸に取り付けられた種子付軸およびそれが収納された種子付軸入り容器に関する。
【背景技術】
【０００２】
従来、植物の種子を入れた容器として、例えば特許文献１が知られている。
これは、生分解性プラスチックからなる粘着テープの表面に植物の種子を、テープ長さ方向に等間隔で貼着し、各種子を覆うように、粘着テープの表面に生分解性プラスチック製のカバーを貼着した種子の直播き用テープである。これらの粘着テープとカバーとには、種子が水分を吸収し、芽や根が出やすいように細い孔が多数形成されている。
【０００３】
種播き時には、種子の直播き用テープを土に敷き、その上から所定量の覆土をかぶせ、水をかける。粘着テープに一定間隔毎に種子を貼着しているので、田または畑に種子を規則正しく整然と播くことができ、発芽後に行われる除草作業や施肥作業が容易になる。
【０００４】
しかしながら、特許文献１にあっては、以下の課題があった。
（１）種子は、土の上に敷かれる直播き用テープに収納されている。これにより、直播き用テープを敷いた後は、所定量の覆土を直播き用テープの上に被せなければならなかった。その結果、スコップなどが必要で、手も汚れていた。
（２）直播き用テープは、これに広告を印刷した販促品として配布した場合、印刷面の確保が難しく、多数個の種子を１纏めにしたセット品では、嵩張りやすかった。
【特許文献１】特開平８−１４０４１６号公報
【発明の開示】
【発明が解決しようとする課題】
【０００５】
そこで、この発明は、栽培用のスコップなどが不要で、かつ初心者でも手を汚さずに簡単に種播きをすることができる種子付軸および種子付軸入り容器を提供することを提供することを目的としている。
この発明は、安価かつコンパクトで、販促品としての利便性が高い種子付軸入り容器を提供することを目的としている。
【０００６】
この発明は、広告を掲載したり、種子付軸の使用説明を記載することができる種子付軸入り容器を提供することを目的としている。
この発明は、発芽後、軸を取り外す作業が不要で、環境に優しい種子付軸および種子付軸入り容器を提供することを目的としている。
この発明は、種播き後、肥料を添加する必要がない種子付軸および種子付軸入り容器を提供することを目的としている。
【０００７】
この発明は、大粒の種子を簡単に軸の先部に取り付けることができる種子付軸および種子付軸入り容器を提供することを目的としている。
この発明は、小粒の種子を確実に軸の先部に取り付けることができ、しかも水やり時の種子の流れを防止することができる種子付軸および種子付軸入り容器を提供することを目的としている。
この発明は、種子の種類に応じて種子を土中に埋め込むことができる種子付軸および種子付軸入り容器を提供することを目的としている。
【課題を解決するための手段】
【０００８】
請求項１に記載の発明は、種子と、該種子が先部に取り付けられる軸とを備えたマッチ棒状の種子付軸である。
【０００９】
請求項１に記載の発明によれば、軸の先部に種子を取り付けたので、土に種子付軸の先部を差し込むだけで、種子を土に埋めることができる。これにより、初心者でもスコップなどを使うことなく、手を汚さずに簡単に種播きをすることができる。
【００１０】
種子の種類は限定されない。例えば朝顔、ヒマワリなど大粒の種子でもよい。また、芥子、パンジー、ミント、バジルラベンダー、ペパーミント、カモミール、レモングラス、フェンネルなどの小粒の種子でもよい。
【００１１】
軸の素材は、紙（例えば厚紙、再生紙、ダンボール紙）、木（例えばポプラ、ドロ、サワグルミ、シナ、マツ）などが挙げられる。その他、例えば澱粉ポリエチレンブレンド型、脂肪族ポリエステル汎用プラスチックブレンド型などの生物崩壊性プラスチックでもよい。
種子を軸に取り付ける方法は限定されない。例えば、糊を含む各種の接着剤、各種の掛止構造などを採用することができる。
１本の軸に取り付けられる種子の個数は限定されない。１個でもよいし、２個以上でもよい。
【００１２】
請求項２に記載の発明は、複数本の請求項１の種子付軸が、切り取り可能に櫛歯状に配列された連軸と、開閉自在な表紙を有し、該表紙の一端側に元部を固定した状態で連軸を収納するブック型シートとを備えた種子付軸入り容器である。
【００１３】
請求項２に記載の発明によれば、栽培用のスコップなどが不要で、かつ初心者でも手を汚さずに簡単に種播きをすることができる。しかも安価かつコンパクトで、販促品としての利便性が高い。
【００１４】
連軸を構成する種子付軸の本数は複数本であれば限定されない。例えば、２本、３本以上である。
連軸において、種子付軸を切り取り可能にする構造としては、例えば連軸の素材を紙板として線切り取り可能な構造としてもよいし、種子付軸を紙、木、生分解性プラスチックとし、種子付軸の元部にミシン目を入れた構造としてもよい。
【００１５】
ブック型シートの素材は限定されない。例えば板紙、生分解性プラスチックシートなどを採用することができる。
連軸の元部とブック型シートとを連結する方法としては、例えばステープラー止め、糊止めなどを採用することができる。
【００１６】
請求項３に記載の発明は、前記ブック型シートの表紙およびまたは裏表紙を、広告の掲載面およびまたは種子付軸の使用説明の記載面とした請求項２に記載の種子付軸入り容器である。
【００１７】
請求項３に記載の発明によれば、表紙およびまたは裏表紙を、広告の掲載面およびまたは種子付軸の使用説明の記載面としたので、販促品として必要な大きい広告面を確保することができる。しかも、種子軸の使用方法の記載面も確保することができる。
【００１８】
広告の掲載面およびまたは種子付軸の使用説明の記載面となるのは、ブック型シートの表紙でもよいし、裏表紙でもよいし、その両方でもよい。
また、ブック型シートの表紙およびまたは裏表紙は、広告の掲載面としてもよいし、種子付軸の使用説明の記載面としてもよいし、その両方でもよい。
【００１９】
請求項４に記載の発明は、前記軸は、再生紙を含む紙または生分解性プラスチックからなる請求項１に記載の種子付軸または請求項２または請求項３に記載の種子付軸入り容器である。
【００２０】
請求項４に記載の発明によれば、軸が、土中のバクテリアなどによって自然分解する再生紙を含む紙、または、生分解性プラスチックからなるので、発芽後、軸を取り外す作業が不要で、環境にも優しい。
【００２１】
軸の素材は、再生紙を含む紙でもよいし、生分解性プラスチックでもよい。
生分解性プラスチックとしては、例えば脂肪族ポリエステル、酢酸セルロース、ニトロセルロース、ポリエステルナイロン共重合体、アミロースポリエステル共重合体などを採用することができる。再生紙を採用した場合には、古紙の再利用を図ることができる。
【００２２】
請求項５に記載の発明は、前記軸には、肥料が含まれている請求項１に記載の種子付軸または請求項２〜請求項４のうち、何れか１項に記載の種子付軸入り容器である。
【００２３】
請求項５に記載の発明によれば、軸に肥料が含まれているので、発芽後、土に肥料を加えなくても苗を良好に育てることができる。
【００２４】
肥料としては、例えば窒素、リン、カリウムなどを含むものを採用することができる。
肥料を軸に含ませる方法は限定されない。例えば、軸に肥料を練り込んでもよいし、軸の露出面に肥料を固着してもよい。
【００２５】
請求項６に記載の発明は、前記軸の先部には、大粒の種子の掛止部が設けられた請求項１に記載の種子付軸または請求項２〜請求項５のうち、何れか１項に記載の種子付軸入り容器である。
【００２６】
請求項６に記載の発明によれば、掛止部に大粒の種子を掛止することで、この種子を軸の先部に簡単に取り付けることができる。
【００２７】
掛止部の構造は限定されない。例えば、クリップ構造でもよいし、嵌合状態で掛止する構造でもよく、掛止部の構造に限定はない。
掛止部の形成数は１つでもよいし、２つ以上でもよい。
【００２８】
請求項７に記載の発明は、前記軸の先部には、小粒の種子が接着された請求項１に記載の種子付軸または請求項２〜請求項６のうち、何れか１項に記載の種子付軸入り容器である。
【００２９】
請求項７に記載の発明によれば、軸の先部に小粒の種子が接着されているので、小粒の種子を確実に軸の先部に取り付けることができ、しかも水やり時の種子の流れを防止することができる。
【００３０】
接着剤の種類は限定されない。例えば、糊、合成糊、その他各種の合成樹脂接着剤を採用することができる。
軸に接着される種子の数は１個でもよいし、２個以上でもよい。
種子は、軸の先部の片面だけに１個または複数個接着してもよいし、両面に複数個接着してもよい。
【００３１】
請求項８に記載の発明は、前記軸には、取り付けられた前記種子の種類に応じた土中への埋め込み深さを示す埋め込みラインが印された請求項１に記載の種子付軸または請求項２〜請求項７のうち、何れか１項に記載の種子付軸入り容器である。
【００３２】
請求項８に記載の発明によれば、一般に種子はその種類に応じて土に埋める深さが異なる。種播き時、軸を埋め込みラインまで埋めることにより、その種子の種類に適した深さ位置に、初心者でも簡単に種子を埋め込むことができる。
埋め込みラインは、軸の表裏面のうち、一方だけでもよいし、両方でもよい。
埋め込みラインは、印刷などで表示してもよいし、細い溝で表示してもよい。
【発明の効果】
【００３３】
請求項１および請求項２に記載の発明によれば、種子と、種子が先部に取り付けられる軸とを備えたので、栽培用のスコップなどが不要で、かつ初心者でも手を汚さずに簡単に種播きをすることができる。
【００３４】
特に、請求項２に記載の発明によれば、複数本の請求項１の種子付軸が、切り取り可能に櫛歯状に配列された連軸と、ブック型シートとを備えた種子付軸入り容器としたので、安価かつコンパクトで、販促品としての利便性を高めることができる。
【００３５】
また、請求項３に記載の発明によれば、ブック型シートの表紙およびまたは裏表紙を、広告の掲載面およびまたは種子付軸の使用説明の記載面としたので、広告を掲載したり、種子付軸の使用説明を記載することができる。
【００３６】
請求項４に記載の発明によれば、軸が再生紙を含む紙または生分解性プラスチックからなるので、発芽後、軸を取り外す作業が不要で、環境に優しいものとなる。
【００３７】
請求項５に記載の発明によれば、軸に肥料が含まれているので、発芽後、土に肥料を加えなくても苗を良好に育てることができる。
【００３８】
請求項６に記載の発明によれば、軸の先部に掛止部を設けたので、大粒の種子を簡単に軸の先部に取り付けることができる。
【００３９】
請求項７に記載の発明によれば、軸の先部に小粒の種子を接着したので、小粒の種子を確実に軸の先部に取り付けることができ、しかも水やり時の種子の流れを防止することができる。
【００４０】
請求項８に記載の発明によれば、軸の一部に種子の種類に応じた土中への埋め込み深さを示す埋め込みラインを印したので、初心者でも簡単に種子の種類に応じて種子を土中に埋め込むことができる。
【発明を実施するための最良の形態】
【００４１】
以下、図面を参照してこの発明の実施例を説明する。
【実施例】
【００４２】
図１〜図４において、１０はこの発明の実施例に係る販売促進用の種子付軸入り容器１０で、この種子付軸入り容器１０は、複数本の種子付軸１１が、切り取り可能に櫛歯状に配列された連軸１２と、開閉自在な表紙１３ａを有し、表紙１３ａの一端側に元部を固定した状態で連軸１２を収納するブック型シート１３とを備えている。
種子付軸１１は、種子１４と、種子１４が先部に取り付けられる種子付軸１１の本体である軸１５とを備えている。
連軸１２は、再生紙製の板紙からなる。この板紙を櫛型に断裁し、１本おきに長さが若干異なった合計５本の軸１５としている。軸１５は再生紙製であるので、軸１５の元部から切り取り可能となっている。軸１５は、生分解性プラスチック製でもよい。
【００４３】
軸１５には、窒素、リン、カリウムを混ぜた肥料が含浸されている。
軸１５の先部は、マッチの頭薬部のような大径部となっている。ここには、大粒の種子１４の掛止部１６が設けられている。掛止部１６は、取り付けられる種子１４より若干小径な孔部１６ａと、大径部の元部と一体化し、軸１５の厚さ方向の一方側に突出した種受け片１６ｂとを有している。孔部１６ａには、朝顔の種子１４がしっかりと嵌入され、種子１４の一側部が種受け片１６ｂに当てがわれて保持されている。また、この掛止部１６に代えて、軸１５の大径部の片面に、小粒の種子１４Ａを糊（接着剤）１４ａを介して貼着してもよい（図３（ｂ））。この場合には、小粒の種子１４Ａを確実に軸１５の先部に取り付けることができ、しかも水やり時の種子１４Ａの流れを防止することができる。
【００４４】
ブック型シート１３は、裏表紙１３ｂと、この裏表紙１３ｂに対して折畳まれる表紙１３ａとを備えている。また、ブック型シート１３は、裏表紙１３ｂの表紙１３ａが連設されている側と反対の側にある折返し片部１３ｃと、裏表紙１３ｂとの間に、連軸１２の元部が挿し込まれ、この部分がステープラーの針によって止着されている。
ブック型シート１３の表紙１３ａの外面は、企業広告の掲載面となっている。また、ブック型シート１３の表紙１３ａの内面は、種子付軸１１の使用説明の記載面となっている。
【００４５】
次に、図５〜図７を参照して、この実施例に係る種子付軸入り容器１０の使用方法を説明する。
まず、ブック型シート１３の表紙１３ａを開き、その表紙１３ａの先端部を、連軸１２の元部と裏表紙１３ｂの折返し片部１３ｃ側の端部に挟み込む（図５）。このとき、表紙１３ａが弓なりに湾曲し、元部を除く連軸１２の軸全体が裏表紙１３ｂから離れるように立ち上がる。その後、指を使って軸１５を元部から切り取る。
【００４６】
切り取った軸１５は、種子１４が掛止された先部を下に向けて、所定長さだけ土の中に差し込む（図６（ａ））。また、軸１５として、例えば軸１５の表裏面に、種子１４の種類に応じた土中への埋め込み深さを示す埋め込みラインＬを印したものを採用してもよい（図６（ｂ））。この場合には、その埋め込みラインＬまで軸１５の先部を埋め込むことで、初心者でも簡単に種子１４の種類に応じて種子１４を土中に埋め込むことができる。
【００４７】
このように、軸１５の先部に種子１４を取り付けたので、土に種子付軸１１の先部を差し込むだけで、種子１４を土に埋めることができる。これにより、初心者でもスコップなどを使うことなく、手を汚さずに簡単に種播きをすることができる。しかも、安価かつコンパクトで、販促品としての利便性が高い。
【００４８】
さらに、表紙１３ａの外面を広告の掲載面とし、表紙１３ａの内面を種子付軸１１の使用説明の記載面としたので、販促品として必要な大きい広告面を確保することができる。しかも、軸１５の使用方法の記載面も確保することができる。
軸１５の素材として、土中のバクテリアなどによって自然分解する再生紙を採用したので、発芽後、軸１５を取り外す作業が不要で、環境にも優しい。
【００４９】
また、軸１５に肥料を含ませているので、発芽後、土に肥料を加えなくても苗ａを良好に育てることができる。
軸１５の先部に掛止部１６を設けたので、大粒の種子１４を軸１５の先部に簡単に取り付けることができる。
【００５０】
本発明の種子付軸および種子付軸入り容器は、上記の図１〜７の実施例に限定されるものではない。
例えば、図８において、１０はこの発明の他の実施例に係る販売促進用の種子付軸入り容器１０で、この種子付軸入り容器１０は、複数本の種子付軸１１が、切り取り可能に櫛歯状に配列された連軸１２と、開閉自在な表紙１３ａを有し、表紙１３ａの一端側に元部を固定した状態で連軸１２を収納するブック型シート１３とを備えている。
種子付軸１１は、種子１４が先部に取り付けられる種子付軸１１の本体である軸１５を備えている。
連軸１２は、再生紙製の板紙からなる。この板紙を櫛型に断裁し、１本おきに長さが若干異なった合計５本の軸１５としている。軸１５は再生紙製であるので、軸１５の元部から切り取り可能となっている。軸１５は、生分解性プラスチック製でもよい。
軸１５の先部には、扁平なしゃもじ状の先部１７を設け、先部１７には種子を接着させるための接着剤が塗布してあり、シール１８で覆われている。使用時にはシール１８を剥がし種子１４を接着させて使用する。また、このときの種子１４にはケシの実などの小粒状の種子が好ましく用いられる。
【００５１】
次に、図９〜図１３を参照して、本発明の他の実施例に係る軸１５の形態について説明する。
図９は、軸１５の先部がフォーク状になった先部１９を設けたものである。先部１９ｂとこれに連結した先部１９ａとによって種子１４を挟んで使用する。図９（ａ）は櫛歯状に軸１５を交互に並べたものであり、図９（ｂ）は種子１４を装着した状態での軸１５の拡大図である。
【００５２】
図１０は、軸１５の先部に種子１４を接着したシール２０を貼って使用するものである。図１０（ａ）はシール２０接着後、図１０（ｂ）はシール２０を接着前である。
【００５３】
図１１は、軸１５の先部に種子１４はめ込み用の窪みを有する先部２１を設けたものであり、種子を先部にはめ込んで使用する。なお、図１１（ａ）は種子１４装着前を、図１１（ｂ）は先部に種子１４を装着した状態をそれぞれ表す。
【００５４】
図１２は、軸１５の先部に種子１４を挟み込むためのノート型の先部２２を設けたものであり、先部２２は種子をはめ込むためのはめ込み部２２ｂおよび開閉可能なふた部２２ａからなる。２２ｂに種子１４を挟み込んで使用する。図１２（ａ）は先部２２が閉じている状態を、図１２（ｂ）は先部２２が開いている状態をそれぞれ示している。
【００５５】
図１３は、軸１５の先部に種子１４を挟み込むための切込みを有する先部２３を設け、種子１４を挟み込んで使用するものである。図は櫛歯状に連結した連軸１２の拡大図である。
【産業上の利用可能性】
【００５６】
本発明の種子付軸入り容器は、例えば、主婦が趣味間隔で気軽に種子を蒔くことができ、また、この容器を商品展開に併せて拡販すると、エコロジーを考えつつ商品広告効果を生み、さらに、手軽さと需要で消費者をキャッチすることができ、さらに対象商品・会社のイメージアップに繋がる。したがって、本発明の種子付軸入り容器は、医療用医療品、飲料商品、加工食品などの広告宣伝に展開することができる。
【図面の簡単な説明】
【００５７】
【図１】この発明の実施例に係る種子付軸入り容器の表紙を開いた状態の斜視図である。
【図２】この発明の実施例に係る種子付軸入り容器の表紙を閉じた状態の斜視図である。
【図３】（ａ）は、この発明の実施例に係る種子付軸の拡大斜視図である。（ｂ）は、この発明の実施例に係る他の種子付軸の要部拡大斜視図である。
【図４】この発明の実施例に係る種子付軸入り容器の表紙の内面を示す要部斜視図である。
【図５】この発明の実施例に係る種子付軸入り容器の連軸を立ち上げた状態を示す斜視図である。
【図６】（ａ）は、この発明の実施例に係る種子付軸の使用状態を示す拡大斜視図である。（ｂ）は、この発明の実施例に係る他の種子付軸の使用状態を示す拡大斜視図である。
【図７】この発明の実施例に係る種子付軸の発芽状態を示す拡大斜視図である。
【図８】この発明の他の実施例に係る種子付軸の拡大斜視図である。
【図９】（ａ）はこの発明の他の実施例に係る種子付軸を櫛歯状に並べた状態の斜視図である。（ｂ）はこの発明の他の実施例に係る種子付軸に種子を装着した状態の拡大斜視図である。
【図１０】（ａ）はこの発明の他の実施例に係る種子付軸の種子装着の状態を示す図である。（ｂ）はこの発明の他の実施例に係る種子付軸の種子装着前の状態の拡大図である。
【図１１】（ａ）はこの発明の他の実施例に係る種子付軸の種子装着前の状態を示す拡大斜視図である。（ｂ）はこの発明の他の実施例に係る種子付軸に種子装着時の状態の拡大斜視図である。
【図１２】（ａ）はこの発明の他の実施例に係る種子付軸の種子装着前の状態を示す拡大図である。（ｂ）はこの発明の他の実施例に係る種子付軸に種子装着の状態の拡大図である。
【図１３】この発明の他の実施例に係る種子付軸の種子装着の状態を示す拡大図である。
【符号の説明】
【００５８】
１０  種子付軸入り容器
１１  種子付軸
１２  連軸
１３  ブック型シート
１３ａ  表紙
１３ｂ  裏表紙
１３ｃ  折り返し片部
１４，１４Ａ  種子
１５  軸
１６  掛止部
１７，１９，１９ａ，１９ｂ，２０，２１，２２，２３  先部
１８  シール
２２ａ  ふた部
２２ｂ  はめ込み部
Ｌ  埋め込みライン
ａ  苗
【図１】
2006006170.tif 000003
【図２】
2006006170.tif 000004
【図３】
2006006170.tif 000005
【図４】
2006006170.tif 000006
【図５】
2006006170.tif 000007
【図６】
2006006170.tif 000008
【図７】
2006006170.tif 000009
【図８】
2006006170.tif 000010
【図９】
2006006170.tif 000011
【図１０】
2006006170.tif 000012
【図１１】
2006006170.tif 000013
【図１２】
2006006170.tif 000014
【図１３】
2006006170.tif 000015